Podtech/llm-jp-corpus-v4-ja_patent huggingface dataset:
【手続補正書】
【提出日】平成19年8月15日(2007.8.15)
【手続補正１】
【補正対象書類名】特許請求の範囲
【補正対象項目名】全文
【補正方法】変更
【補正の内容】
【特許請求の範囲】
【請求項１】
重縮合後にポリエチレンテレフタレートをペレット化及び結晶化するポリエチレンテレフタレート製造方法における使用エネルギーの減少方法であって、
ａ）溶融ポリエチレンテレフタレートを凝固させて非晶質ポリエチレンテレフタレートペレットを形成せしめ、そしてペレットを５０℃〜ポリエチレンテレフタレートのＴｇの温度に冷却してポリエチレンテレフタレートの温ペレットを形成せしめ；そして
ｂ）晶析装置の流入口において、温度が５０℃〜ポリエチレンテレフタレートのＴｇ未満の範囲である、ポリエチレンテレフタレートの温ペレットを、晶析装置に搬送する
ことを含んでなる方法。
【請求項２】
前記搬送工程が、ペレット化工程からの温ペレットを５０℃〜９０℃の温度を有する水流中に導入することを含む請求項１に記載の方法。
【請求項３】
温ペレットを晶析装置中に導入する工程の前に、ポリエチレンテレフタレートの温ペレットから水を除去する請求項２に記載に方法。
【請求項４】
搬送工程の前又は搬送工程の間に、水を除去する請求項３に記載の方法。
【請求項５】
有孔スクリーンを用いて水を除去する請求項３に記載の方法。
【請求項６】
機械的乾燥機中で水を除去する請求項３に記載の方法。
【請求項７】
機械的乾燥機中で水を除去する請求項５に記載の方法。
【請求項８】
前記温ペレットが、前記晶析装置への流入口において、７０℃〜９０℃の範囲の温度を有する請求項２に記載の方法。
【請求項９】
前記の水流が水除去工程から再循環された水を含む請求項２に記載の方法。
【請求項１０】
前記乾燥機に熱エネルギーを加えない請求項６に記載の方法。
【請求項１１】
前記搬送工程がペレット化工程からの温ペレットをガス流中に導入することを含む請求項１に記載の方法。
【請求項１２】
前記ペレットと接触する前の前記ガス流が４０℃〜９０℃の範囲の温度を有する請求項１１に記載の方法。
【請求項１３】
前記ペレットと接触する前の前記ガス流が５０℃〜７０℃の範囲の温度を有する請求項１１に記載の方法。
【請求項１４】
前記温ペレットを晶析装置に導入する工程の前に、凝固及び／又はペレット化工程からの水を、ポリエチレンテレフタレートの温ペレットから除去する請求項１１に記載の方法。
【請求項１５】
水を機械的乾燥機中で除去する請求項１４に記載の方法。
【請求項１６】
前記温ペレットが、晶析装置への流入口において、７０℃〜９０℃の範囲の温度を有する請求項１１に記載の方法。
【請求項１７】
前記ペレット化工程の前に、凝固ストランドから空気の噴射によって水を除去する請求項１に記載の方法。
【請求項１８】
前記のポリエチレンテレフタレートの温ペレットを、中間貯蔵なしで晶析装置に直接搬送する請求項１に記載の方法。
【手続補正書】
【提出日】平成19年9月21日(2007.9.21)
【手続補正１】
【補正対象書類名】特許請求の範囲
【補正対象項目名】全文
【補正方法】変更
【補正の内容】
【特許請求の範囲】
【請求項１】
式（１）の化合物及びその塩。
【化１】
2007505965.tif 000001
（ここで、
Ｂ及びＢ′は、各々独立して、−ＳＯ3Ｈ、−ＣＯＯＨ、置換アルコキシ、置換アルキル、非置換アルコキシ、非置換アルキル又は−ＰＯ3Ｈ2であり、
Ｑは、ヘテロ原子により中断されていない非置換若しくは置換アルキル基又は１個の酸素原子を含む非置換若しくは置換アルキルエーテル基のどちらかであるかあるいは１個又は２個若しくはそれ以上の窒素原子を含む非置換又は置換アルキルポリアミン基である有機脂肪族連結基であり、
Ｒ、Ｒ′、Ｒ″及びＲ″′は、各々独立して、Ｈ又は非置換若しくは置換アルキルであり、
Ｘ及びＸ′は、各々独立して、置換活性原子又は基である。）
【請求項２】
有機脂肪族連結基Ｑが、アルキレンであることを特徴とする、請求項１に記載の化合物。
【請求項３】
アルキレンが、Ｃ2~20アルキレン又はＣ2~20アルキレニレンであることを特徴とする、請求項２に記載の化合物。
【請求項４】
アルキレンが、Ｃ1~4アルキレン基又は置換Ｃ1~4アルキレン基であることを特徴とする、請求項２に記載の化合物。
【請求項５】
Ｘ又はＸ′は両方共、Ｆ又はＣｌであることを特徴とする、請求項１〜４のいずれか一項に記載の化合物。
【請求項６】
Ｂ又はＢ′は両方共、ジアゾ橋に対してオルトにあり且つ−ＳＯ3Ｈを意味することを特徴とする、請求項１〜５のいずれか一項に記載の化合物。
【請求項７】
請求項１に記載の式（１）
【化２】
2007505965.tif 000002
の化合物の生成方法であって、式ＨＮ（Ｒ″）ＱＮ（Ｒ″′）Ｈの化合物を１モル当量の式（２）
【化３】
2007505965.tif 000003
の化合物と縮合させ、そして次いで式ＨＮ（Ｒ″）ＱＮ（Ｒ″′）Ｈの化合物と式（２）の化合物との反応生成物を式（２′）
【化４】
2007505965.tif 000004
の化合物と反応させる
〔ここで、Ｂ、Ｂ′、Ｑ、Ｒ、Ｒ′、Ｒ″、Ｒ″′、Ｘ及びＸ′は、請求項１〜６のいずれか一項に定義されたとおりの意味を有する〕
方法。
【請求項８】
ヒドロキシ基含有又は窒素含有有機基材を染色する又は印刷する若しくはインクジェット印刷する方法において、請求項１〜６のいずれか一項に記載の化合物、それらの塩、又はそれらの混合物でもって染色又は印刷を遂行する方法。
【請求項９】
天然若しくは合成ポリアミド又は天然若しくは再生セルロースから成るか又はそれらのうちのいずれかを含有する皮革又は繊維材料を染色する又は印刷するための、請求項８に記載の方法。
【請求項１０】
木綿から成るか又は木綿を含有する生地材料を染色する又は印刷する若しくはインクジェット印刷するための、請求項８又は９に記載の方法。
【請求項１１】
ヒドロキシ基含有又は窒素含有基材であって、請求項８〜１０のいずれか一項に記載の方法に従って染色されている又は印刷されている若しくはインクジェット印刷されている基材。
【請求項１２】
請求項１〜６のいずれか一項に記載の化合物、それらの塩、又はそれらの混合物の使用であって、ヒドロキシ基含有又は窒素含有基材を染色する又は印刷する若しくはインクジェット印刷する際の使用。
【請求項１３】
インクジェット用インキであって、請求項１〜６のいずれか一項に記載の化合物、それらの塩、又はそれらの混合物を含むインキ。
【手続補正書】
【提出日】平成19年7月11日(2007.7.11)
【手続補正１】
【補正対象書類名】特許請求の範囲
【補正対象項目名】全文
【補正方法】変更
【補正の内容】
【特許請求の範囲】
【請求項１】
内燃機関のシリンダヘッドに取り付け可能な合わせ面を備え、該合わせ面の周縁には連続した接着剤のビードまたは層が配置されているバルブカバーを含んで成るバルブカバーアセンブリであって、
上記接着剤が、架橋剤と反応可能な２つ以上の反応基を有するポリチオールエーテルと、架橋剤とを含むバルブカバーアセンブリ。
【請求項２】
１つ以上のシリンダヘッドにバルブカバーの合わせ面に合わせることができる合わせ面がある請求項１に記載のバルブカバーを１つ以上備えたエンジンアセンブリであって、
個々のバルブカバーはシリンダヘッドに接着剤で接合され、個々のバルブカバーの上記合わせ面と接合相手である上記シリンダヘッドの上記合わせ面との間に接着剤の連続層が配置され、上記連続した接着剤のビードまたは層が、ペアを成す個々のバルブカバーとシリンダヘッドとの間でシールを形成していることにより、合わせ面同士が接触している部位における該ペアをなす個々のバルブカバーとシリンダヘッドとの間を通るガスまたは液体の浸透が実質的に減少または防止されるエンジンアセンブリ。
【請求項３】
バルブカバーをシリンダヘッドに接合する方法であって、
ａ）上記バルブカバーは上記シリンダヘッドの合わせ面と合わせることができる合わせ面を備えており、該バルブカバーまたは該シリンダヘッドの合わせ面の全面に連続した接着剤のビードまたは膜を適用する工程、
ｂ）上記バルブカバーの合わせ面と上記シリンダヘッドの合わせ面とを接触させることにより、上記連続した接着剤のビードまたは膜が該バルブカバーと該シリンダヘッドの合わせ面同士の間に配置されるようにする工程、
ｃ）上記接着剤を硬化させて上記バルブカバーと上記シリンダヘッドの合わせ面同士を永久接合し且つ該接着剤により該バルブカバーと該シリンダヘッドとの間のシールを形成させる工程を含む方法において、
上記接着剤は、架橋剤と反応可能な２つ以上の反応基を有するポリチオールエーテルと、架橋剤とを含み、かつ、上記適用後に１つ以上の上記バルブカバーを所定位置に保持するのに十分な強度を備えている方法。
【請求項４】
下記：
Ａ）第１成分として、
ｉ）２つ以上の反応基を有し、当量が約６００〜約５０００であるポリチオールエーテル、
ii）上記ポリチオールエーテルと硬化剤との反応のための室温硬化促進剤、
Ｂ）第２成分として、
iii）上記ポリチオールエーテル用の硬化剤、
iｖ）上記ポリチオールエーテルまたは上記硬化剤と反応可能な反応性希釈剤、
ｖ）ヨウ素価が約８２〜約９２ｍｇ／ｇであり吸油価が約１００〜約１１０ｇ／ｃｃであるカーボンブラック、を含んで成る組成物。
【請求項５】
自動車のエンジンまたはトランスミッションに部品を接合する方法において、
２つ以上の反応基を有するポリチオールエーテルと該ポリチオールエーテル用の硬化剤とを含む接着剤を、上記部品および上記自動車のエンジンまたはトランスミッションの一方または両方に接触させる工程、上記部品および上記エンジンまたはトランスミッションを上記部品同士の間に配置された上記接着剤に接触させる工程、および該接着剤を硬化させることにより、該部品と該エンジンまたはトランスミッションとの間の接合部をシールすることを含んで成る方法。
【手続補正書】
【提出日】平成19年9月14日(2007.9.14)
【手続補正１】
【補正対象書類名】特許請求の範囲
【補正対象項目名】全文
【補正方法】変更
【補正の内容】
【特許請求の範囲】
【請求項１】
炭化水素供給原料(好ましくはベンゼンおよび炭化水素樹脂から選ばれる)から汚染硫黄化合物、より特にはチオフェン性硫黄化合物を除く方法において、該方法が該供給原料を水素の存在下に、硫化されたニッケル吸着剤と接触させることを含み、該吸着剤の１５０℃におけるテトラリン水素化活性の速度定数が、０．０１リットル／秒．ｇ触媒未満であり、かつ当該吸着剤中でニッケルの一部が金属の形で存在している、上記方法。
【請求項２】
原子基準で、少なくとも１０％のニッケルが金属の形をしている、請求項１に従う方法。
【請求項３】
ニッケル表面が、少なくとも０．５のＳとＮｉとの原子比を持つ、請求項１〜２のいずれか１項に従う方法。
【請求項４】
当該ニッケル吸着剤が、任意的に担持された若しくは構造助触媒を含有する金属ニッケル吸着剤を、硫黄若しくは硫黄化合物を用いて処理することによって、またはニッケル吸着剤の前駆体と硫黄化合物とを共沈殿させることによって得られたものである、請求項１〜３のいずれか１項に従う方法。
【請求項５】
炭化水素供給原料から汚染硫黄化合物を除くプロセスにおいて安定な硫化物を形成する金属の酸化物を用いた処理に、当該炭化水素供給原料が引き続いて供される、請求項１〜４のいずれか１項に従う方法。
【請求項６】
請求項１〜５のいずれか１項に従う方法に使用するのに適したニッケル吸着剤を調製する方法において、
酸化ニッケルを含有する不動態化されたニッケル吸着剤原料物質が、任意的に担体上でまたは構造助触媒の存在下に、１００〜２００℃の温度で水素を用いて還元され、それに続いて還元された物質の表面が硫黄または硫黄化合物を用いて、好ましくは不活性溶媒中で、処理されて、ニッケル吸着剤が生成し、該吸着剤の１５０℃におけるテトラリン水素化活性の速度定数が、０．０１リットル／秒．ｇ触媒未満であり、かつ当該吸着剤中でニッケルの一部が金属の形で存在している、
あるいは、酸化ニッケルを含有する焼成されたニッケル吸着剤原料物質が、任意的に担体上でまたは構造助触媒の存在下に、１００〜５００℃の温度で水素を用いて還元され、それに続いて還元された物質の表面が硫黄または硫黄化合物を用いて、好ましくは不活性溶媒中で、処理されて、ニッケル吸着剤が生成し、該吸着剤の１５０℃におけるテトラリン水素化活性の速度定数が、０．０１リットル／秒．ｇ触媒未満であり、かつ当該吸着剤中でニッケルの一部が金属の形で存在している、
あるいは、ニッケル、硫黄化合物および任意的な溶解された若しくは固形の担体または構造助触媒前駆体物質を含有する溶液から、吸着剤の前駆体を共沈殿させること、沈殿した物質を焼成することおよび／または不動態化すること、引き続いてそれを１００〜５００℃の温度で水素を用いて還元して、ニッケル吸着剤を生成することによって、ニッケル吸着剤を調製することを含み、該吸着剤の１５０℃におけるテトラリン水素化活性の速度定数が、０．０１リットル／秒．ｇ触媒未満であり、かつ当該吸着剤中でニッケルの一部が金属の形で存在している、
上記方法。
【請求項７】
当該硫黄化合物が、ジベンゾチオフェン、２−メチルチオフェン、ベンゾチオフェンまたはジメチルチオフェンの群から選ばれる、請求項６に従う方法。
【請求項８】
原子基準で、少なくとも１０％のニッケルが金属の形をしている、請求項７に従う方法。
【請求項９】
吸着剤のニッケル表面が、少なくとも０．５のＳとＮｉとの原子比を持つ、請求項６〜８のいずれか１項に従う方法。
【請求項１０】
請求項１〜５のいずれか１項に従う方法に使用するのに適したニッケル吸着剤であって、該ニッケル吸着剤がニッケル物質を含み、該吸着剤の１５０℃におけるテトラリン水素化活性の速度定数が、０．０１リットル／秒．ｇ触媒未満であり、かつ当該吸着剤中でニッケルの一部が金属の形で存在している、上記ニッケル吸着剤。
【手続補正書】
【提出日】平成19年9月5日(2007.9.5)
【手続補正１】
【補正対象書類名】特許請求の範囲
【補正対象項目名】全文
【補正方法】変更
【補正の内容】
【特許請求の範囲】
【請求項１】
レーザーマーキング特性を有する組成物であって、高分子物質、雲母又は雲母状物質、好ましくは、その表面上の一部又は全体が酸化アンチモン、酸化チタン及び／又は酸化スズでコーティングされている雲母又は雲母状物質、金属硫化物及び１種類以上の有機非黒色顔料、好ましくは、組成物の総重量に基づいて０．０１〜１０．０重量%の量の１種類以上の有機非黒色顔料を含んでいる、前記組成物。
【請求項２】
前記金属硫化物が、硫化カドミウム、硫化鉄、硫化亜鉛、及び、金属の１種としてカドミウム、鉄又は亜鉛を含んでいる混合硫化物からなる群から選択され、好ましくは、前記金属硫化物が硫化亜鉛である、請求項１に記載の組成物。
【請求項３】
前記雲母又は雲母状物質が、前記組成物の総重量に基づいて、０．０５〜２重量%の範囲の量、好ましくは、０．１〜０．５重量%の範囲の量で存在しており、前記金属硫化物の量が、前記組成物の総重量に基づいて、０．０５〜３重量%の範囲、好ましくは、１．０〜２．５重量%の範囲である、請求項１又は２に記載の組成物。
【請求項４】
レーザー光線を照射された領域に暗色のマーキングを表示するように適合させた物品であって、請求項１〜３のいずれか１項に記載の組成物を含んでおり、好ましくは、家畜の耳タグである、前記物品。
【請求項５】
請求項４に記載の物品であって、該物品が、桃色、赤色、黄色、橙色、黄緑色、ライラック色、ミッドブルーからライトブルー、又は、碧青色の内のいずれか一色に色づけされており、また、該物品上の暗色のマーキングが肉眼で見えるものである、請求項４に記載の物品。
【請求項６】
レーザーを用いて物品にマーキングする方法であって、レーザー光線、好ましくは、Ｎｄ：ＹＡＧレーザーからの５３２nm又は１０６４nmのいずれかの波長のレーザー光線を、請求項４又は５に記載の物品に照射することにより該物品上に肉眼で見えるマーキングを形成させる、前記方法。
【請求項７】
レーザーでマーキングされた表面部分を有する物品の製造方法であって、
（ａ）高分子物質を提供すること；
（ｂ）該高分子物質に雲母又は雲母状物質、金属硫化物及び１種類以上の有機非黒色顔料を配合して、高分子組成物を提供すること；
（ｃ）該高分子組成物を用いて物品を形成させること；
及び
（ｄ）該物品にレーザー光線を照射して、該物品上にレーザーでマーキングされた表面部分を生成させること；
を含む、前記方法。
【請求項８】
前記雲母又は雲母状物質の表面上の一部又は全体に、金属酸化物、好ましくは、酸化アンチモン、酸化チタン及び／又は酸化スズを含んでいるコーティングが存在しており、前記金属硫化物が、硫化カドミウム、硫化鉄、硫化亜鉛、及び、金属の１種としてカドミウム、鉄又は亜鉛を含んでいる混合硫化物からなる群から選択され、好ましくは、前記金属硫化物が硫化亜鉛である、請求項７に記載の方法。
【請求項９】
前記雲母又は雲母状物質が、前記組成物の総重量に基づいて、０．０５〜２重量%の範囲の量、好ましくは、０．１〜０．５重量%の範囲の量で存在しており、前記金属硫化物の量が、前記組成物の総重量に基づいて、０．０５〜３重量%、好ましくは、１．０〜２．５重量%であり、非黒色顔料の量が、前記組成物の総重量に基づいて、０．０１〜１０．０重量%である、請求項７又は８に記載の方法。
【請求項１０】
前記物品に、５００〜２１００nmの範囲内で、周波数１〜１００kHz、放射線レベル５〜５０Aのレーザー光線を照射し、また、前記物品が、好ましくは、桃色、赤色、黄色、橙色、黄緑色、ライラック色、ミッドブルーからライトブルー又は碧青色に色づけされており、さらに好ましくは、家畜の耳タグである、請求項７〜９のいずれか１項に記載の方法。
【手続補正書】
【提出日】平成19年8月31日(2007.8.31)
【手続補正１】
【補正対象書類名】特許請求の範囲
【補正対象項目名】全文
【補正方法】変更
【補正の内容】
【特許請求の範囲】
【請求項１】
少なくとも１種のジエンエラストマー、補強充填剤、加硫系及びマレイミド化合物に基づくタイヤ製造に使用可能なゴム組成物であって、前記マレイミド化合物が、下式、
(I)
2007505957.tif 000001
（Ｒ=炭化水素基）のシトラコンイミドマレイミドであることを特徴とする組成物。
【請求項２】
Ｒが、１〜２５個の炭素原子、及び場合によりO、N及びSから選択される１種以上のヘテロ原子からなる請求項１記載の組成物。
【請求項３】
Ｒが、１〜２０個の炭素原子を有するアルキレン、６〜２４個の炭素原子を有するシクロアルキレン、６〜１８個の炭素原子を有するアリーレン及び７〜２５個の炭素原子を有するアラルキレンからなる群から選択される請求項２記載の組成物。
【請求項４】
前記シトラコンイミドマレイミドが、N-(シトラコンイミド-m-フェニル)マレイミド、N-(シトラコンイミド-p-フェニル)マレイミド、N-(シトラコンイミド-o-フェニル)マレイミド、N-(3-シトラコンイミド-4,6-ジメチル-フェニル)マレイミド、N-(3-シトラコンイミド-4-メチル-フェニル)マレイミド、N-(3-シトラコンイミド-6-メチル-フェニル)マレイミド、N-(3-シトラコンイミド-2-メチル-フェニル)マレイミド、N-(1'-シトラコンイミド-4,4'-メチレン-ビ-フェニル)マレイミド、N-[2-(メチレン-シトラコンイミド)-フェニル]-メチレン-マレイミド、N-[3-(メチレン-シトラコンイミド)-フェニル]-メチレン-マレイミド、N-[4-(メチレン-シトラコンイミド)-フェニル]-メチレン-マレイミド、及びこれらの化合物の混合物からなる群から選択される請求項３記載の組成物。
【請求項５】
前記シトラコンイミドマレイミドが、N-(p-シトラコンイミドフェニル)-マレイミドである請求項１記載の組成物。
【請求項６】
前記シトラコンイミドマレイミドの量が、０．１〜１．０phrである請求項１〜５のいずれか１項記載の組成物。
【請求項７】
タイヤの製造に有用であり、かつ改良された戻り耐性を有するゴム組成物の調製方法であって、前記組成物が、ジエンエラストマー、補強充填剤及び加硫系に基づき、前記方法が、以下の工程、
（１）「非生産的」と言及される第一工程の間に、１以上の段階で、１１０℃〜１９０℃の最大温度に達するまで、前記全体の混合物を熱機械的に混練することによって、ジエンエラストマーに少なくとも１種の補強充填剤を配合する工程、
（２）１００℃未満の温度で前記全体混合物を冷却する工程、
（３）「生産的」と言及される第二工程の間に、前記加硫系を配合する工程、
（４）１１０℃未満の最大温度に達するまで前記全体混合物を混練する工程、
を含み、前記方法のいずれか一つの工程の間に、下式(I)、
2007505957.tif 000002
（Ｒ＝炭化水素基）のシトラコンイミドマレイミド化合物をさらに配合することを特徴とする方法。
【請求項８】
請求項１〜６のいずれか１項記載の組成物を含む自動車の接地接触系に企図される完成品又は半完成品。
【手続補正書】
【提出日】平成19年9月7日(2007.9.7)
【手続補正１】
【補正対象書類名】特許請求の範囲
【補正対象項目名】全文
【補正方法】変更
【補正の内容】
【特許請求の範囲】
【請求項１】
（１）アセトンおよびジフェニルカーボネートの液体混合物を作製する工程と、
（２）工程（１）の前記液体混合物をポリカーボネート製造プラントまで輸送する工程と、
（３）前記ポリカーボネート製造プラント中の前記液体混合物中の前記アセトンから前記ジフェニルカーボネートを分離する工程と、
（４）前記ジフェニルカーボネートをビスフェノールアセトンと反応させてポリカーボネートを生産し、これによってフェノールを遊離させる工程と、
（５）工程（４）のフェノールを工程（３）のアセトンと反応させてビスフェノールアセトンを生産する工程と、
（６）工程（４）の反応において工程（５）のビスフェノールアセトンを使用する工程と、
を含む、芳香族ポリカーボネートを製造するための一体化された方法。
【請求項２】
工程（１）におけるアセトンのジフェニルカーボネートに対するモル比が０．５：１から７：１の範囲である、請求項１に記載の方法。
【請求項３】
工程（１）におけるアセトンのジフェニルカーボネートに対するモル比が０．９：１から２：１の範囲である、請求項２に記載の方法。
【請求項４】
工程２における温度が１５から７０℃の範囲である、請求項１から３のいずれか１項に記載の方法。
【請求項５】
工程（３）において得られ、工程（４）において使用される前記ジフェニルカーボネートが最大３重量％のアセトンを含有する、請求項１から４のいずれか１項に記載の方法。
【請求項６】
工程（１）の前記液体混合物が、０から１０重量％のフェノールをさらに含有する、請求項１から５のいずれか１項に記載の方法。
【請求項７】
工程（１）において使用される前記ジフェニルカーボネートが、（ｉ）オレフィンと酸化剤との反応によって、対応するアルキレンオキシドを得る工程と、続いて、（ｉｉ）前記アルキレンオキシドを二酸化炭素と反応させて環状アルキレンカーボネートを得る工程と、続いて、（ｉｉｉ）前記環状アルキレンカーボネートをメタノールと反応させてジメチルカーボネートと対応するアルキレングリコールとを得る工程と、および（ｉｖ）前記ジメチルカーボネートをフェノールと反応させてジフェニルカーボネートを得る工程とを含む反応により得られる、請求項１から６のいずれか１項に記載の方法。
【請求項８】
前記オレフィンがプロピレンであり、前記アルキレンオキシドがプロピレンオキシドであり、前記環状カーボネートがプロピレンカーボネートであり、前記アルキレングリコールがモノプロピレングリコールである、請求項７に記載の方法。
【請求項９】
工程（３）が連続薄膜蒸発装置を使用して実施される、請求項１から８のいずれか１項に記載の方法。
【請求項１０】
アセトンのジフェニルカーボネートに対するモル比が０．５：１から７：１の範囲であ
る、芳香族ポリカーボネートを製造するために用いるアセトンおよびジフェニルカーボネートの液体混合物。
【請求項１１】
液体混合物におけるアセトンのジフェニルカーボネートに対するモル比が０．５：１から７：１の範囲である、芳香族ポリカーボネートを製造するときのアセトンおよびジフェニルカーボネートの液体混合物の使用。
【手続補正書】
【提出日】平成19年4月23日(2007.4.23)
【手続補正１】
【補正対象書類名】特許請求の範囲
【補正対象項目名】全文
【補正方法】変更
【補正の内容】
【特許請求の範囲】
【請求項１】
一以上の仮焼されたバナジウム含有酸化物層が、単独であるいは硫酸塩、硼酸塩または燐酸塩が混合されて基体に被覆されてなることを特徴とする、光安定化効果顔料。
【請求項２】
基体が、薄片状、球状または針状の支持体および／または金属酸化物、金属酸化物水和物、金属亜酸化物、金属、金属弗化物、金属窒化物、金属オキシニトリドまたはこれらの材料の混合物からなる、透明、半透明および／または不透明の一以上の層で被覆されている、薄片状、球状または針状の支持体であることを特徴とする、請求項１の光安定化効果顔料。
【請求項３】
基体が、一以上の透明、半透明および／または不透明の、金属酸化物、金属酸化物水和物、金属亜酸化物、金属、金属弗化物、金属窒化物、金属オキシニトリドまたは、これらの材料の混合物からなる層で被覆された、薄片状、球状または針状の支持体に基づく、チタン酸化物またはチタン酸化物含有基体である、ことを特徴とする、請求項１または２の光安定化効果顔料。
【請求項４】
一以上の透明、半透明および／または不透明の、金属酸化物、金属酸化物水和物、金属亜酸化物、金属、金属弗化物、金属窒化物、金属オキシニトリドまたは、これらの材料の混合物からなる層で被覆された、薄片状、球状または針状の支持体の外層が、チタン酸化物を含むことを特徴とする、請求項３の光安定化効果顔料。
【請求項５】
仮焼されたバナジウム含有酸化物層が、Ａｌ、Ｃａ、Ｓｒ、Ｚｎ、Ｓｉ、Ｚｒ、Ｃｅ、Ｔｉの酸化物またはそれらの混合物からなることを特徴とする、請求項１〜３のいずれか一項の光安定化効果顔料。
【請求項６】
バナジウム含有量が、全体の顔料を基にし、Ｖ2Ｏ5として計算して、０．００２〜０．２重量％であることを特徴とする、請求項１〜５のいずれか一項の光安定化効果顔料。
【請求項７】
バナジウム含有酸化物層中のバナジウム濃度が、バナジウム含有酸化物層の表面方向に向かって勾配をもって増大または減少することを特徴とする、請求項１〜６のいずれか一項の光安定化効果顔料。
【請求項８】
仮焼されたバナジウム含有酸化物層に、付加的に有機被覆が施されていることを特徴とする、請求項１〜７のいずれか一項の光安定化効果顔料。
【請求項９】
一以上のバナジウム含有の水酸化物、酸化物水和物および／または酸化物層を、単独であるいは硫酸塩、燐酸塩および／または硼酸塩を混合して基体に被覆し、続いて仮焼することを特徴とする、請求項１の光安定化効果顔料の製造方法。
【請求項１０】
基体が、金属酸化物、金属酸化物水和物、金属亜酸化物、金属、金属弗化物、金属窒化物、金属オキシニトリドまたはこれらの材料の混合物を含む、一以上の透明、半透明および／または不透明の層で被覆された、薄片状、球状または針状の支持体に基づく、チタン酸化物またはチタン酸化物含有基体である、ことを特徴とする、請求項９の製造方法。
【請求項１１】
水酸化物、酸化物水和物および／または酸化物の層を、湿式化学法および／またはゾル・ゲル法によって被覆させることを特徴とする、請求項９または１０の製造方法。
【請求項１２】
層中のバナジウム濃度が、バナジウム含有層の表面方向に向かって勾配をもつて増大または減少するように、バナジウム化合物が水酸化物、酸化物水和物および／または酸化物の層に導入されることを特徴とする、請求項９〜１１のいずれか一項の製造方法。
【請求項１３】
仮焼が、３００〜９００℃の温度で行われることを特徴とする、請求項９〜１２のいずれか一項の製造方法。
【請求項１４】
仮焼されたバナジウム含有酸化物層に、付加的に有機被覆が施されていることを特徴とする、請求項９の製造方法。
【請求項１５】
プラスチック、塗料、被覆、印刷用インキ、化粧用配合物、紙、セラミック材料、ガラス、フィルム、証券印刷、レーザー・マーキング、熱防護、彩色種苗、乾燥配合剤または顔料組成物における、請求項１の光安定化効果顔料の使用。
【請求項１６】
請求項１の光安定化効果顔料の一種以上を含む、プラスチック、塗料、被覆、印刷用インキ、化粧品処方、紙、セラミック材料、ガラス、フィルム、種、顔料組成物または乾燥合剤。
【手続補正書】
【提出日】平成19年8月23日(2007.8.23)
【手続補正１】
【補正対象書類名】特許請求の範囲
【補正対象項目名】全文
【補正方法】変更
【補正の内容】
【特許請求の範囲】
【請求項１】
抗糖尿病薬剤と、キレート化剤と、キレート化される金属イオンとを含む、膵臓を画像化するための組成物。
【請求項２】
前記金属イオンは、前記組成物が使用中に哺乳動物に投与される場合にコントラストが増強された画像化に有効である、請求項１に記載の組成物。
【請求項３】
前記キレート化剤は、ジエチレントリアミン五酢酸（ＤＴＰＡ）、エチレンジアミン四酢酸（ＥＤＴＡ）、シクロヘキシル１，２−ジアミン四酢酸（ＣＤＴＡ）、エチレングリコール−０，０’ビス（２−アミノエチル）−Ｎ，Ｎ，Ｎ’，Ｎ’−四酢酸（ＥＧＴＡ）、Ｎ，Ｎ−ビス（ヒドロキシベンジル）−エチレンジアミン−Ｎ，Ｎ’−二酢酸（ＨＢＥＤ）、トリエチレンテトラアミン六酢酸（ＴＴＨＡ）、１，４，７，１０−テトラアザシクロドデカン−Ｎ，Ｎ’，Ｎ”，Ｎ”’−四酢酸（ＤＯＴＡ）、ヒドロキシエチルジアミン三酢酸（ＨＥＤＴＡ）、１，４，８，１１−テトラ−アザシクロ−テトラデカン−Ｎ，Ｎ’，Ｎ”，Ｎ”’−四酢酸（ＴＥＴＡ）、ジメルカプトコハク酸（ＤＭＳＡ）、トリグリシンベンゾイルチオール（ＭＡＧ−３）およびメチレンビスホスホネート（ＭＤＰ）である、請求項１に記載の組成物。
【請求項４】
前記キレート化剤は、ＤＴＰＡである、請求項１に記載の組成物。
【請求項５】
前記抗糖尿病薬剤は、前記膵臓のβ細胞に優先的に結合する、請求項１に記載の組成物。
【請求項６】
前記抗糖尿病薬剤は、前記膵臓のβ細胞スルホニル尿素レセプターＳＵＲ−１、アンジオテンシンＩＩレセプター、またはブラジキニンレセプターに優先的に結合する、請求項１に記載の組成物。
【請求項７】
前記抗糖尿病薬剤は、ナテグリニド、グリピジド、グリブリド、またはグリメピリドである、請求項１に記載の組成物。
【請求項８】
前記金属イオンは放射性核種である、請求項１に記載の組成物。
【請求項９】
前記金属イオンはβ放射体である、請求項１に記載の組成物。
【請求項１０】
前記金属イオンはγ放射体である、請求項１に記載の組成物。
【請求項１１】
前記金属イオンは、Ｔｃ−９９ｍ、Ｃｕ−６０〜Ｃｕ−６４、Ｇｄ、Ｈｏ−１６６、またはＲｅ−１８７、Ｒｅ−１８８である、請求項１に記載の組成物。
【請求項１２】
９９ｍＴｃ−ＤＴＰＡ−ナテグリニド、９９ｍＴｃ−ＤＴＰＡ−グリピジド、９９ｍＴｃ−ＤＴＰＡ−グリブリド、または９９ｍＴｃ−ＤＴＰＡ−グリメピリドとしてさらに規定される、請求項１に記載の組成物。
【請求項１３】
膵臓疾患を処置するための組成物であって、該組成物は、抗糖尿病薬剤と、キレート化剤と、キレート化される金属イオンとを含み、該金属イオンはβ放射体である、組成物。
【請求項１４】
前記キレート化される金属イオンは、１８８Ｒｅ、９０Ｙまたは１６６Ｈｏである、請求項１３に記載の組成物。
【請求項１５】
前記膵臓疾患は、糖尿病、膵炎、高インスリン血症またはインスリノーマである、請求項１３に記載の組成物。
【請求項１６】
哺乳動物の膵臓を画像化するための組成物であって、該組成物は、抗糖尿病薬剤と、キレート化剤と、キレート化される金属イオンとを含む、組成物。
【請求項１７】
前記画像は、γ画像、ＰＥＴ画像、またはＭＲＩ画像である、請求項１６に記載の組成物。
【請求項１８】
前記組成物は、９９ｍＴｃ−ＤＴＰＡ−ナテグリニドを含む、請求項１６に記載の組成物。
【請求項１９】
哺乳動物における膵臓β細胞の塊または形態をモニターするための組成物であって、該組成物は、抗糖尿病薬剤と、キレート化剤と、キレート化される金属イオンとを含む、組成物。
【請求項２０】
前記金属イオンは、ＤＴＰＡ−ナテグリニド、ＤＴＰＡ−グリピジド、ＤＴＰＡ−グリブリドまたはＤＴＰＡ−グリメピリドにキレート化される、請求項１９に記載の組成物。
【請求項２１】
ＤＴＰＡ−抗糖尿病薬剤キットとしてさらに規定される、請求項１９に記載の組成物。
【請求項２２】
前記組成物が、糖尿病を処置するためのＤＴＰＡ−抗糖尿病薬剤を含む、請求項１９に記載の組成物。
【請求項２３】
前記組成物は、血管内送達法、チューイングガム送達法またはエアロゾル送達法により投与されるのに適切である、請求項１９に記載の組成物。
【請求項２４】
前記組成物の画像化用量は、０．１〜５ｍｇ／キットとして規定される、請求項１９に記載の組成物。
【手続補正書】
【提出日】平成19年6月12日(2007.6.12)
【手続補正１】
【補正対象書類名】特許請求の範囲
【補正対象項目名】全文
【補正方法】変更
【補正の内容】
【特許請求の範囲】
【請求項１】
ａ）ヒトを除く哺乳動物を、前記哺乳動物において治療反応を生じるのに十分な量のアレルゲンに、暴露すること
を含む、アレルギーを予防する方法であって、前記アレルゲンが哺乳動物を暴露するための一般的な物品によって運ばれる方法。
【請求項２】
一般的な物品が、哺乳動物の局所的な環境にアレルゲンを放出する、請求項１に記載の方法。
【請求項３】
哺乳動物が、出生後間もない動物である請求項１に記載の方法。
【請求項４】
哺乳動物が、ウマ、ウシ、ブタ、ヤギ、ヒツジ、イヌおよびネコからなる群から選択される、請求項１に記載の方法。
【請求項５】
一般的な物品が寝具である、請求項４に記載の方法。
【請求項６】
アレルゲンが徐放形態で供給される請求項１に記載の方法。
【請求項７】
アレルゲンが被覆物内に封入される請求項６に記載の方法。
【請求項８】
被覆物がポリマー被覆物である、請求項７に記載の方法。
【請求項９】
ａ）一般的な物品と、
ｂ）前記一般的な物品により運ばれる、哺乳動物を暴露させるアレルゲンと
を含む物品であって、前記一般的な物品および前記アレルゲンに哺乳動物を暴露することによって哺乳動物における治療反応を生じるのに十分な用量のアレルゲンを哺乳動物に与える物品。
【請求項１０】
一般的な物品が、哺乳動物の局所的な環境にアレルゲンを放出する、請求項９に記載の物品。
【請求項１１】
哺乳動物が、新生児又は出生後間もない動物である請求項９に記載の物品。
【請求項１２】
哺乳動物がヒトである、請求項９に記載の物品。
【請求項１３】
一般的な物品が衣類である、請求項１２に記載の物品。
【請求項１４】
一般的な物品が寝具である、請求項１２に記載の物品。
【請求項１５】
一般的な物品が玩具である、請求項１２に記載の物品。
【請求項１６】
アレルゲンが散布剤に含有され、一般的な物品に前記散布剤が散布されている、請求項１２に記載の物品。
【請求項１７】
一般的な物品がオムツである、請求項１３に記載の物品。
【請求項１８】
哺乳動物が、ウマ、ウシ、ブタ、ヤギ、ヒツジ、イヌおよびネコからなる群から選択される、請求項９に記載の物品。
【請求項１９】
一般的な物品が寝具である、請求項１８に記載の物品。
【請求項２０】
アレルゲンが徐放形態で供給される、請求項９に記載の物品。
【請求項２１】
アレルゲンが被覆物内に封入される、請求項２０に記載の物品。
【請求項２２】
被覆物がポリマー被覆物である、請求項２１に記載の物品。
【手続補正書】
【提出日】平成19年9月14日(2007.9.14)
【手続補正１】
【補正対象書類名】特許請求の範囲
【補正対象項目名】全文
【補正方法】変更
【補正の内容】
【特許請求の範囲】
【請求項１】
式（Ｉ）：
【化１】
2007505916.tif 000001
〔式中、
Ｘは共有結合、Ｓ、またはＯから選択され、
ＹはＳまたはＯであり、
−−−−Ｗ−−−−は、＝ＣＨ−、−ＣＨ＝、−ＣＨ2−、−ＣＨ2−ＣＨ2−、＝ＣＨ
−ＣＨ2−、−ＣＨ2−ＣＨ＝、＝ＣＨ−ＣＨ＝、および−ＣＨ＝ＣＨ−から選択される
基を表し、
ＺはＯ、ＣＨ、およびＣＨ2から選択され、ただしＹがＯの場合には、ＺはＯであり、
Ｒ1およびＲ2はＨ、Ｃ1-3アルキル、Ｃ1-3アルコキシ、ハロ、およびＮＲaＲb
から独立して選択され、ここでＲaおよびＲbは独立してＨまたはＣ1-3アルキルであ
り、
Ｒ3およびＲ4はＨ、ハロ、シアノ、ヒドロキシ、アセチル、Ｃ1-5アルキル、Ｃ1-
4アルコキシ、およびＮＲcＲdから独立して選択され、ここでＲcおよびＲdは独立し
てＨまたはＣ1-3アルキルであり、ただしＲ3およびＲ4は双方がＨではなく、
Ｒ5はハロ、フェニル、フェノキシ、（フェニル）Ｃ1-5アルコキシ、（フェニル）Ｃ
1-5アルキル、Ｃ2-5ヘテロアリールオキシ、Ｃ2-5ヘテロアリールＣ1-5アル
コキシ、Ｃ2-5ヘテロシクリルオキシ、Ｃ1-9アルキル、Ｃ1-8アルコキシ、Ｃ2
-9アルケニル、Ｃ2-9アルケニルオキシ、Ｃ2-9アルキニル、Ｃ2-9アルキニル
オキシ、Ｃ3-7シクロアルキル、Ｃ3-7シクロアルコキシ、Ｃ3-7シクロアルキル
−Ｃ1-7アルキル、Ｃ3-7シクロアルキル−Ｃ1-7アルコキシ、Ｃ3-7シクロア
ルキルオキシ−Ｃ1-6アルキル、Ｃ1-6アルコキシ−Ｃ1-6アルキル、Ｃ1-5ア
ルコキシ−Ｃ1-5アルコキシ、またはＣ3-7シクロアルキルオキシ−Ｃ1-7アルコ
キシから選択され、
−−−−Ｗ−−−−が−ＣＨ＝、−ＣＨ2−、−ＣＨ2−ＣＨ2−、−ＣＨ2−ＣＨ＝、
および−ＣＨ＝ＣＨ−から選択される基を表す場合にはＲ6はＨであり、または−−−−
Ｗ−−−−が＝ＣＨ−、＝ＣＨ−ＣＨ2−、および＝ＣＨ−ＣＨ＝から選択される基を表
す場合に、Ｒ6は存在せず、そして
ｎは１または２である〕
の化合物またはその製薬学的に許容され得る塩。
【手続補正書】
【提出日】平成19年5月31日(2007.5.31)
【手続補正１】
【補正対象書類名】特許請求の範囲
【補正対象項目名】全文
【補正方法】変更
【補正の内容】
【特許請求の範囲】
【請求項１】
遊離界面活性剤量とナノ結晶に結合した界面活性剤量を含む総界面活性剤量が会合しているナノ結晶を前記ナノ結晶が可溶性である第１の溶媒中に提供する段階と；
より高極性の第２の溶媒を第１の溶媒に加えてナノ結晶が不溶性である沈殿溶媒混合物を形成することによりナノ結晶を沈殿させ、沈殿ナノ結晶を形成する段階と；
沈殿溶媒混合物から沈殿ナノ結晶を分離する段階と；
ナノ結晶が可溶性である第３の溶媒を沈殿ナノ結晶に加えることによりナノ結晶を再溶解する段階と；
ナノ結晶と会合している遊離界面活性剤量がナノ結晶と会合している総界面活性剤量の１％未満になるまで沈殿、分離及び再溶解段階を繰り返す段階を含むナノ結晶の処理方法。
【請求項２】
少なくとも１回の再溶解段階後にナノ結晶をチェックし、ナノ結晶と会合したままの遊離界面活性剤量を測定する請求項１に記載の方法。
【請求項３】
ナノ結晶から過剰の結合界面活性剤を除去する方法であって、
遊離界面活性剤量とナノ結晶に結合した界面活性剤量を含む総界面活性剤量が会合しているナノ結晶を溶解した溶液として、遊離界面活性剤量が総界面活性剤量の１０％である溶液を提供する段階と；
結合界面活性剤と共に不溶性塩を形成する塩基をナノ結晶に加える段階と；
溶液に溶解したナノ結晶から不溶性塩を分離し、部分単分子層１層から２分子層１層までの界面活性剤が結合したナノ結晶を形成する段階を含む前記方法。
【請求項４】
ａ）ナノ結晶が可溶性であり、第１の溶媒又は反応混合物の１種以上を含む第１の混合物中にナノ結晶を提供する段階と；
ｂ）第２の溶媒を第１の混合物に加えてナノ結晶が不溶性である第２の混合物を形成することによりナノ結晶を沈殿させ、沈殿ナノ結晶を形成する段階と；
ｃ）第２の混合物から沈殿ナノ結晶を分離する段階と；
ｄ）少なくとも第１の溶媒を沈殿ナノ結晶に加えることによりナノ結晶を再溶解し、第３の混合物を形成する段階と；
ｅ）ナノ結晶が不溶性である第４の混合物を形成するように第３の混合物の極性を調節し、沈殿ナノ結晶を形成する段階と；
ｆ）第４の混合物から沈殿ナノ結晶を分離する段階と；
ｇ）ナノ結晶を第１の溶媒に再溶解したときに遊離界面活性剤量が遊離界面活性剤量とナノ結晶に結合した界面活性剤量を含む総界面活性剤量の５％未満になるまで段階ｄ、ｅ及び／又はｆを繰り返す段階を含むナノ結晶の処理方法。
【請求項５】
ナノ構造が可溶性である第１の溶媒とナノ構造が不溶性である第２の溶媒を含む溶媒混合物をナノ構造に添加する段階と；
ナノ構造を溶媒混合物から沈殿させるために十分な付加量の第２の溶媒を加えることによりナノ構造を沈殿させる段階と；
ナノ構造を溶媒混合物から分離する段階を含むナノ結晶の処理方法。
【請求項６】
ａ）遊離界面活性剤量とナノ結晶に結合した界面活性剤量を含む総界面活性剤量が会合しているナノ結晶に前記ナノ結晶が可溶性である第１の溶媒と、ナノ結晶が不溶性である第２の溶媒を添加する段階と；
ｂ）第１の溶媒と第２の溶媒に第１の溶媒とナノ結晶を含む第１の液相と、第２の溶媒を含む第２の液相を形成させる段階と；
ｃ）第１の液相を第２の液相から分離する段階を含むナノ結晶の処理方法。
【請求項７】
第１の溶媒に溶解したナノ結晶集団を含む組成物であって；
遊離界面活性剤量とナノ結晶に結合した界面活性剤量を含む総界面活性剤量がナノ結晶に会合しており、遊離界面活性剤量が総界面活性剤量の約１％未満である前記組成物。
【請求項８】
ナノ結晶集団とこれに結合した界面活性剤を含む組成物であって、界面活性剤が２分子層１層未満からなる前記組成物。
【請求項９】
有機ポリマーマトリックスと；
有機ポリマーマトリックス内に配置されたナノ結晶集団を含む複合体であって、ナノ結晶に界面活性剤が会合しており、界面活性剤が２分子層１層未満からなる前記複合体。
【請求項１０】
２分子層１層未満からなる界面活性剤が会合している第１のナノ結晶集団と；
第１のナノ結晶集団と異なる組成をもち、第１の集団と共に組成物中に散在している第２のナノ結晶集団を含む組成物。
【手続補正書】
【提出日】平成19年7月2日(2007.7.2)
【手続補正１】
【補正対象書類名】特許請求の範囲
【補正対象項目名】全文
【補正方法】変更
【補正の内容】
【特許請求の範囲】
【請求項１】
閉じた無菌の流体／組織経路を維持しながら末梢血管疾患（PVD）患者から採取された脂肪由来再生細胞の濃縮集団の、前記患者のPVDを治療する薬剤の製造のための使用。
【請求項２】
閉じた無菌の流体／組織経路を維持しながら末梢血管疾患患者から採取された脂肪由来再生細胞の濃縮集団の、前記患者の血管成長を促進する薬剤の製造のための使用。
【請求項３】
閉じた無菌の流体／組織経路を維持しながら末梢血管疾患患者から採取された脂肪由来再生細胞の濃縮集団の、前記患者の虚血領域への血流を増大する薬剤の製造のための使用。
【請求項４】
前記脂肪由来再生細胞の濃縮集団が、幹細胞及び始原細胞を含んでいる、請求項１〜３のいずれか１項記載の使用。
【請求項５】
前記患者が、血管異常又は血管障害を有する、請求項１〜３のいずれか１項記載の使用。
【請求項６】
前記患者が、末梢動脈疾患（PAD）を有する、請求項１〜３のいずれか１項記載の使用。
【請求項７】
前記患者が、動脈硬化症、血管の外傷性損傷、及び炎症性動脈炎からなる群から選ばれる少なくとも１つの血管異常又は血管障害を有する、請求項１〜３のいずれか１項記載の使用。
【請求項８】
前記患者が、患者の心外組織の異常または障害を有する、請求項１〜３のいずれか１項記載の使用。
【請求項９】
前記薬剤が、１つの塊で前記患者に投与される、請求項１〜３のいずれか１項記載の使用。
【請求項１０】
前記薬剤が、多数回で前記患者に投与される、請求項１〜３のいずれか１項記載の使用。
【請求項１１】
前記薬剤が、さらに１種類以上の血管新生因子を含んでいる、請求項１〜３のいずれか１項記載の使用。
【請求項１２】
前記薬剤が、さらに１種類以上の免疫抑制剤を含んでいる、請求項１〜３のいずれか１項記載の使用。
【請求項１３】
前記薬剤が、血管内投与経路、筋内投与経路、皮下投与経路のうち少なくとも１つを介して投与される、請求項１〜３のいずれか１項記載の使用。
【請求項１４】
前記薬剤が、患者の血管内経路を介して投与される、請求項１〜３のいずれか１項記載の使用。
【請求項１５】
前記脂肪由来再生細胞の濃縮集団が、患者に投与される前に細胞培養で成長させられる、請求項１〜３のいずれか１項記載の使用。
【請求項１６】
前記脂肪由来再生細胞の濃縮集団が、血管新生表現型への分化を促進する培養条件で成長させられる、請求項１５記載の使用。
【請求項１７】
前記脂肪由来再生細胞の濃縮集団が、血管内皮表現型への分化を促進する培養条件で成長させられる、請求項１５記載の使用。
【請求項１８】
前記細胞培養が、患者の体内外に移植することができる２次元構造または３次元構造を生成する骨格材料の上で実施される、請求項１５記載の使用。
【請求項１９】
骨格材料が、生体内で再吸収されるものである、請求項１８記載の使用。
【請求項２０】
前記脂肪由来再生細胞の濃縮集団が、遺伝子導入により改修され、そのため、改修後の再生細胞中の１種類以上の遺伝子の発現が変化させられている、請求項１〜３のいずれか１項記載の使用。
【請求項２１】
改修が、患者の血管新生のレベルを変更する、請求項２０記載の使用。
【請求項２２】
改修が、患者の先在している小型血管の酸素供給を改善する、請求項２０記載の使用。
【請求項２３】
改修が、前記脂肪由来再生細胞の濃縮集団のホーミング特性を変更する、請求項２０記載の使用。
【手続補正書】
【提出日】平成19年5月9日(2007.5.9)
【手続補正１】
【補正対象書類名】特許請求の範囲
【補正対象項目名】全文
【補正方法】変更
【補正の内容】
【特許請求の範囲】
【請求項１】
以下を含む薬学的組成物：
丹参葉（タンジン、Radix  Salviae  Miltiorrhizae）抽出物；
参三七（サンシチ、Radix  Notoginseng）抽出物；
黄耆（オウギ、Radix  Astragali）抽出物；および
ボルネオール（Borneol）または降真香（コウシンコウ、Lignum  Dalbergiae  Odoriferae）の油。
【請求項２】
以下を含む請求項1に記載の組成物：
5.0％〜70.0％の丹参葉抽出物；
10.0％〜85.0％の参三七抽出物；
5.0％〜70.0％の黄耆抽出物；および
1.0％〜15.0％のボルネオールまたは降真香の油。
【請求項３】
以下を含む請求項2に記載の組成物： 
15.0％〜50.0％の丹参葉抽出物；
25.0％〜65.0％の参三七抽出物；
15.0％〜50.0％の黄耆抽出物；および
2.0％〜12.0％のボルネオールまたは降真香の油。
【請求項４】
以下を含む請求項3に記載の組成物：
20.0％〜30.0％の丹参葉抽出物；
30.0％〜55.0％の参三七抽出物；
20.0％〜30.0％の黄耆抽出物；および
4.0〜10.0％のボルネオールまたは降真香の油。
【請求項５】
以下を含む請求項4に記載の組成物：
23％の丹参葉抽出物；
45.0％の参三七抽出物；
23％の黄耆抽出物；および
9％のボルネオールまたは降真香の油。
【請求項６】
前記丹参葉抽出物には、45％〜70％のサルビアノール酸B、2〜10％のサルビアノール酸E、4〜20％のロスマリン酸、1〜10％のリトスペルミン酸、および70％を上回るサルビアノール酸が含まれ；前記参三七抽出物には、2％〜10％のノトジンセノサイドR1、2％〜6％のジンセノサイドRe、15％〜40％のジンセノサイドRg1、15％〜40％のジンセノサイドRb1、5％〜12％のジンセノサイドRd、および70％を上回る参三七サポニンが含まれ；前記黄耆抽出物には、5％〜15％のアストラガロシドI、および70％を上回る黄耆サポニンが含まれる、請求項1、2、3、4、または5に記載の組成物。
【請求項７】
前記丹参葉抽出物には80％を上回るサルビアノール酸が含まれ；前記参三七抽出物には、80％を上回る参三七サポニンが含まれ；そして前記黄耆抽出物には、80％を上回る黄耆サポニンが含まれる、請求項6に記載の組成物。
【請求項８】
注射液、錠剤、徐放性錠剤、ドロップ剤、顆粒剤、注射用粉末剤、カプセル剤、および微粒剤である、請求項1、2、3、4、または5に記載の組成物。
【請求項９】
注射液または注射用粉末剤である、請求項8に記載の組成物。
【請求項１０】
循環器疾患および脳血管疾患の処置用薬剤の調製における、請求項1から9のいずれか1項に記載の組成物の使用。
【手続補正書】
【提出日】平成19年9月21日(2007.9.21)
【手続補正１】
【補正対象書類名】特許請求の範囲
【補正対象項目名】全文
【補正方法】変更
【補正の内容】
【特許請求の範囲】
【請求項１】
(ａ)１−(４−クロロアニリノ)−４−(４−ピリジルメチル)フタラジンまたはその薬学的に許容される塩であるＶＥＧＦ阻害剤；および
(ｂ)下記から成る群から選択される１種またはそれ以上の化学療法剤：
ｉ.      アロマターゼ阻害剤；
ii.      抗エストロゲン、抗アンドロゲンまたはゴナドレリンアゴニスト；
iii.     トポイソメラーゼＩ阻害剤またはトポイソメラーゼII阻害剤；
iv.      微小管活性化剤、アルキル化剤、抗新生物代謝拮抗剤または白金化合物；
ｖ.      タンパク質または脂質キナーゼ活性またはタンパク質または脂質ホスファターゼ活性を標的／減少する化合物、さらに抗血管形成化合物または細胞分化過程を誘発する化合物；
vi.      ブラジキニン１受容体またはアンギオテンシンIIアンタゴニスト；
vii.     シクロオキシゲナーゼ阻害剤、ビスホスホネート、ヘパラナーゼ阻害剤(ヘパラン硫酸分解を防止)、生物学的応答修飾剤、ユビキチン化阻害剤、または抗アポトーシス経路を遮断する阻害剤；
viii.    Ｒａｓ発癌性イソ型の阻害剤またはファルネシルトランスフェラーゼ阻害剤；
ix.      テロメラーゼ阻害剤；
ｘ.      プロテアーゼ阻害剤、マトリックスメタロプロテイナーゼ阻害剤、メチオニンアミノペプチダーゼ阻害剤、またはプロテオソーム阻害剤；
xi.      血液学的悪性物の処置に使用する薬剤またはＦＭＳ様チロシンキナーゼ阻害剤；
xii.     ＨＳＰ９０阻害剤；
xiii.    ＨＤＡＣ阻害剤；
xiv.     ｍＴＯＲ阻害剤；
xv.      ソマトスタチン受容体アンタゴニスト；
xvi.     インテグリンアンタゴニスト；
xvii.    抗白血病性化合物；
xviii.   電離放射線のような腫瘍細胞傷害法；
xix.     ＥＤＧ結合剤；
xx.      アントラニル酸アミドクラスのキナーゼ阻害剤；
xxi.     リボヌクレオチドレダクターゼ阻害剤；
xxii.    Ｓ−アデノシルメチオニンデカルボキシラーゼ阻害剤；
xxiii.   ＶＥＧＦまたはＶＥＧＦＲのモノクローナル抗体；
xxiv.    光線力学的治療；
xxv.     血管新生抑制性ステロイド；
xxvi.    コルチコステロイド含有インプラント；
xxvii.   ＡＴ１受容体アンタゴニスト；および
xxviii.  ＡＣＥ阻害剤
を含む、医薬組成物。
【請求項２】
(ａ)１−(４−クロロアニリノ)−４−(４−ピリジルメチル)フタラジンまたはその薬学的に許容される塩であるＶＥＧＦ阻害剤；および
(ｂ)ＨＤＡＣ阻害剤、微小管活性剤、ＥＧＦ受容体チロシンキナーゼファミリーの阻害剤、ｍＴＯＲ阻害剤、ＣＯＸ−２阻害剤、電離放射線、ＩＧＦ−ＩＲ阻害剤、アロマターゼ阻害剤、ビスホスホネート、Ｂｃｒ−Ａｂｌキナーゼ阻害剤、ＦＬＴ−３Ｒキナーゼ阻害剤、ＡＬＫ阻害剤、ｃ−Ｋｉｔ阻害剤、血小板由来増殖因子受容体阻害剤、Ｒａｆキナーゼ阻害剤、ＨＳＰ−９０阻害剤、ＶＥＧＦおよびＶＥＧＦＲのモノクローナル抗体、ＭＭＰ阻害剤、ＳＲＣ阻害剤、ファルネシルトランスフェラーゼ阻害剤およびＥＤＧ結合剤から成る群から選択される１種またはそれ以上の化学療法剤
を含む、請求項１記載の医薬組成物。
【請求項３】
(ａ)１−(４−クロロアニリノ)−４−(４−ピリジルメチル)フタラジンまたはその薬学的に許容される塩であるＶＥＧＦ阻害剤；および
(ｂ)ＨＤＡＣ阻害剤、微小管活性剤、ＥＧＦ受容体チロシンキナーゼファミリーの阻害剤、ｍＴＯＲ阻害剤、ＣＯＸ−２阻害剤、電離放射線、ＩＧＦ−ＩＲ阻害剤、アロマターゼ阻害剤、ビスホスホネート、Ｂｃｒ−Ａｂｌキナーゼ阻害剤、ＦＬＴ−３Ｒキナーゼ阻害剤、ＡＬＫ阻害剤、ｃ−Ｋｉｔ阻害剤、血小板由来増殖因子受容体阻害剤、Ｒａｆキナーゼ阻害剤、ＨＳＰ−９０阻害剤、ＶＥＧＦおよびＶＥＧＦＲのモノクローナル抗体、ＭＭＰ阻害剤、ＳＲＣ阻害剤、ファルネシルトランスフェラーゼ阻害剤およびＥＤＧ結合剤から成る群から選択される１種またはそれ以上の化学療法剤
を含む、請求項１記載の医薬組成物。
【請求項４】
乳癌、肺癌、卵巣癌、リンパ腫、頭頚部癌または食道、胃、膀胱、前立腺、子宮もしくは頸の癌を予防または処置するための、請求項１から３のいずれかに記載の医薬組成物。
【手続補正２】
【補正対象書類名】明細書
【補正対象項目名】０００４
【補正方法】変更
【補正の内容】
【０００４】
組み合わせパートナー(ａ)および(ｂ)は、一緒に、交互にまたは別々に、一つの組み合わされた投与単位形でまたは２個の別々の単位投与形で投与できる。単位投与形はまた固定された組み合わせであり得る。
【手続補正３】
【補正対象書類名】明細書
【補正対象項目名】０１０４
【補正方法】変更
【補正の内容】
【０１０４】
エーテル化ヒドロキシは、とりわけＣ８−２０アルキルオキシ、例えばｎ−デシルオキシ；低級アルコキシ(好ましい)、例えばメトキシ、エトキシ、イソプロピルオキシまたはｎ−ペンチルオキシ；フェニル−低級アルコキシ、例えばベンジルオキシ；またはフェニルオキシでもあり、または前記の群に加えて、またはそれとは別にＣ８−２０アルキルオキシ、例えばｎ−デシルオキシ；ハロゲン−低級アルコキシ、例えばトリフルオロメチルオキシまたは１,１,２,２−テトラフルオロエトキシである。
【手続補正４】
【補正対象書類名】明細書
【補正対象項目名】０１３３
【補正方法】変更
【補正の内容】
【０１３３】
式(III)中の環員Ａ、Ｂ、ＤおよびＥの中で、Ｎは２個を超えず、残りのものはＣＨである。好ましくは、環員Ａ、Ｂ、ＤおよびＥの各々がＣＨである。
【手続補正５】
【補正対象書類名】明細書
【補正対象項目名】０１７５
【補正方法】変更
【補正の内容】
【０１７５】
本発明の医薬組成物は、慣用の手段で製造でき、ヒトを含む哺乳類への経腸、例えば経口または直腸、および、非経腸投与に適しているものであり、治療的有効量のＶＥＧＦ阻害剤と、少なくとも１個の治療剤を、単独で、または１個またはそれ以上の薬学的に許容される担体、とりわけ経腸または非経腸適用に適したものと組み合わせて含む。
【手続補正書】
【提出日】平成19年2月28日(2007.2.28)
【手続補正１】
【補正対象書類名】明細書
【補正対象項目名】００３３
【補正方法】変更
【補正の内容】
【００３３】
図１は、排ガス浄化システム１の基礎構造を示す。参照番号２は内燃機関を示す。コンバータシェル６は、この排ガス浄化システム内でエンジン排気口のすぐ下流に配置されており、かつ酸化触媒７を有する。その下流に配置された炭化水素吸着材４を有する第二のコンバータシェル３及びパティキュレートフィルタ５は、車体下面区域内に位置されている。
【手続補正２】
【補正対象書類名】明細書
【補正対象項目名】００３８
【補正方法】変更
【補正の内容】
【００３８】
１  排ガス浄化システム、  ２  内燃機関、  ３  第二のコンバータシェル、  ４  炭化水素吸着材、  ５  パティキュレートフィルタ、  ６ コンバータシェル、  ７  酸化触媒